(57)【要約】      （修正有）【課題】美しい造形を作ることができる光散乱装飾具を提供する。【解決手段】光散乱装飾具１は、内部空間が正方形又は長方形でなる枠２Ａ及び２Ｂを有しており、枠２Ａ及び２Ｂ間は、蝶番３によって接続されている。すなわち、枠２（２Ａ及び２Ｂ）は、回転可能に接続されている。枠２は、その内部に７本の糸１１が張られており、当該糸１１には光を散乱するクリスタル１０が固定されている。枠２は、例えば４本の角棒を組み合わせて製作される。クリスタル１０は、表面に凹凸が設けられた多面体であり、太陽光などの強い光を屈折させて光の強弱を作り出し、光の進行方向にある床や壁などに、あたかも光の玉がちりばめられたような光の像を造り出すことができる。糸１１は、固定具１２によって上下端を枠２に固定されている。固定具１２は、例えばねじ式のリング状金具が用いられる。【選択図】図１
0003192027.tif 000002
【実用新案登録請求の範囲】
【請求項１】
突出方向に突出して設けられた凸部と、前記凸部又は当該凸部に近接する位置に前記突出方向と直交する貫通方向に開けられた貫通孔とを有し、光を散乱させる複数のクリスタルと、
前記複数のクリスタルが有する前記貫通孔に対して通された糸と、
前記糸に対する前記クリスタルの位置を固定する固定具と
を備えることを特徴とする光散乱装飾具。
【請求項２】
前記糸を吊り下げて固定するスタンド
を備えることを特徴とする請求項１に記載の光散乱装飾具。
【請求項３】
前記スタンドは、
周囲が囲まれた枠部を有しており、
前記スタンドのうち、上側から複数の前記糸が吊り下げられている
ことを特徴とする請求項２に記載の光散乱装飾具。
【請求項４】
前記スタンドは、
周囲が囲まれた枠部を少なくとも２以上有しており、
前記枠部間が蝶番で接続されている
ことを特徴とする請求項３に記載の光散乱装飾具。
【請求項５】
前記スタンドは、
２つの上記枠部からなる
ことを特徴とする請求項４に記載の光散乱装飾具。
【請求項６】
前記糸は、
下側で固定されている
ことを特徴とする請求項１〜５のいずれかに記載の光散乱装飾具。
【請求項７】
前記糸は、
４〜１０本吊り下げられている
ことを特徴とする請求項１〜６のいずれかに記載の光散乱装飾具。
【請求項８】
内側が長方形又は正方形でなる枠部と、
前記枠部の上側から吊り下げられた糸と、
固定具を用いて固定することにより、前記糸に対して固定され、光を散乱する複数のクリスタルと
備えることを特徴とする光散乱装飾具。
【請求項９】
前記クリスタルは、
側部である凸部又は前記凸部近傍を固定することにより、糸に対して固定されている
ことを特徴とする請求項８に記載の光散乱装飾具。
【請求項１０】
前記枠部を２つ以上有し、
前記枠部間が回転可能に接続されている
ことを特徴とする請求項８〜９のいずれかに記載の光散乱装飾具。
【請求項１１】
前記糸は、
４〜１０本吊り下げられている
ことを特徴とする請求項８〜１０のいずれかに記載の光散乱装飾具。
【考案の詳細な説明】
【技術分野】
【０００１】
本考案は光散乱装飾具に関し、例えば店舗などのインテリアに使用される光散乱装飾具に適用して好適な物である。
【背景技術】
【０００２】
従来、光散乱装飾具としては、光を散乱するクリスタルを複数個吊り下げるものが知られている。このような光散乱装飾具では、クリスタルの中心部分を貫通する孔を開け、糸又はワイヤに通したものが知られている（例えば特許文献１参照）。
【０００３】
【特許文献１】特許第４６０２４６４号
【考案の概要】
【考案が解決しようとする課題】
【０００４】
しかしながら、クリスタルは透明なので、その中心に孔を開けると孔が目立ってしまい、美観が著しく損なわれてしまう。また、クリスタルの強度を保つため、孔は中心付近に限られてしまって造形が単調になるなど、美観を保つことが難しいという問題があった。
【０００５】
本考案は以上の点を考慮してなされたもので、美しい造形を有する光散乱装飾具を提供するものである。
【課題を解決するための手段】
【０００６】
かかる課題を解決するため本考案の光散乱装飾具は、突出方向に突出して設けられた凸部と、凸部又は当該凸部に近接する位置に突出方向と直交する貫通方向に開けられた貫通孔とを有し、光を散乱させる複数のクリスタルと、複数のクリスタルが有する貫通孔に対して通された糸と、糸に対するクリスタルの位置を固定する固定具とを有するようにした。
【０００７】
これにより、光散乱装飾具は、糸に対して自由な位置にクリスタルを配置させることができるため、造形の自由度を高めることができる。
【０００８】
また光散乱装飾具は、内側が長方形又は正方形でなる枠部と、枠部の上側から吊り下げられた糸と、固定具を用いて固定することにより、糸に対して固定され、光を散乱する複数のクリスタルとを有するようにした。
【０００９】
これにより、光散乱装飾具は、枠を額縁とし、糸とクリスタルとで形成される造形を絵画のように見せることができる。
【考案の効果】
【００１０】
本考案によれば、糸に対して自由な位置にクリスタルを配置させることができるため、造形の自由度を高めることができ、かくして美しい造形を有する光散乱装飾具を提供できる。
【００１１】
本考案によれば、枠を額縁とし、糸とクリスタルとで形成される造形を絵画のように見せることができ、かくして美しい造形を有する光散乱装飾具を提供できる。
【図面の簡単な説明】
【００１２】
【図１】光散乱装飾部の構成を示す略線図である。
【図２】枠の糸への固定の説明に供する略線図である。
【図３】クリスタルの糸への固定の説明に供する略線図である。
【図４】他の実施の形態による光散乱装飾部の構成を示す略線図である。
【考案を実施するための形態】
【００１３】
以下、図面について、本考案の一実施の形態を詳述する。
【００１４】
図１に示すように、光散乱装飾具１は、窓際など太陽光などの強い光が差し込む場所に置かれるインテリアである。
【００１５】
光散乱装飾具１は、内部空間が正方形又は長方形でなる枠２Ａ及び２Ｂを有しており、枠２Ａ及び２Ｂ間は、蝶番３によって接続されている。すなわち、枠２（２Ａ及び２Ｂ）は、回転可能に接続されている。
【００１６】
枠２は、その内部に７本の糸１１が張られており、当該糸１１には光を散乱するクリスタル１０が固定されている。枠２は、例えば４本の角棒を組み合わせて製作される。また、材料に制限はなく、木材や樹脂材料、金属材料などを適宜組み合わせて用いることができる。
【００１７】
クリスタル１０は、表面に凹凸が設けられた多面体であり、太陽光などの強い光を屈折させて光の強弱を作り出し、光の進行方向にある床や壁などに、あたかも光の玉がちりばめられたような光の像を造り出すことができる。
【００１８】
このクリスタル１０は、例えばサンキャッチャーという名称で一般に販売されているものなどを使用できる。表面に凹凸が設けられた球に近い形のものだけでなく、しずく型や楕円球型のように、多面体加工された種々の形状のものをクリスタル１０として使用することができる。
【００１９】
クリスタル１０の材質としては、各種のパワーストーンやガラスボールなど、種々のものを使用できる。色は光が透過すれば良く、着色されていても無色であっても良い。
【００２０】
糸１１は、例えばピアノ線や金属糸など、樹脂材料や金属材料、天然材料、若しくはこれらの混合したものが使用される。好ましくは、ピアノ線や釣糸のように、透明感を有する樹脂製の糸が用いられる。
【００２１】
糸１１は、固定具１２によって上下端を枠２に固定されている。図２に示すように、固定具１２は、例えばねじ式のリング状金具が用いられる。この固定具１２は、糸１１の上下端を固定できれば良く、材質に応じて種々のものが使用される。
【００２２】
糸１１の上下端は、留金具１３で留められることにより輪１１ａが形成され、当該輪１１ａが固定具１２のリング部１２ａに引っかけられることにより、固定具１２を介して枠２に対して固定される。
【００２３】
図３（Ａ）及び（Ｂ）に示すように、クリスタル１０は、水平方向に平行に、すなわち糸１１を鉛直方向に吊る場合に当該鉛直方向に対して直交する方向に突出する凸部１０ａを有している。
【００２４】
凸部１０ａの内部若しくは凸部１０ａの近傍には、鉛直方向に貫通する貫通孔１０ｂが設けられている。
【００２５】
貫通孔１０ｂに糸１１が通され、固定具１４によって糸１１上におけるクリスタル１０の位置が固定される。貫通孔１０ｂがある程度長さを有するため、その下方向の位置のみ固定すれば、クリスタル１０は上下方向に安定的に固定される。
【００２６】
固定具１４の形状に制限はなく、貫通孔１０ｂより大きければよい。また、その一部が貫通孔１０ｂの内部に入るようにすることで、安定感を増すことも可能である。固定具１４の材質に制限はなく、金属やプラスチックなどの材質が好適に使用される。
【００２７】
光散乱装飾具１（図１）では、２つの枠２に張られた合計１４本の糸に、多数のクリスタル１０を固定しているため、光の玉のシャワーが降り注いだかのような見事な光の像を造り出すことができる。
【００２８】
また、クリスタル１０の側部を固定するため、１本の糸１１に対し、水平方向の左右両側にクリスタル１０を固定することができ、造形のバリエーションを増やすことができる。
【００２９】
なお、１本の糸１１に対して固定されるクリスタル１０の数に制限はない。また、クリスタル１０のサイズにも制限はなく、同一サイズ・形状のものを使用しても良いし、複数種類のクリスタルや、複数のサイズ・形状のものを使用しても良い。
【００３０】
本実施の形態の光散乱装飾具１では、枠２の中に上下方向に張られた複数の糸が並び、２種類のサイズでなるクリスタル１０が固定されていることにより、観た人に対し、あたかもハープに水玉がちりばめられているというような美しい印象を与えることができる。
【００３１】
また、枠２内において、平面的に並ぶようにクリスタル１０が配置されており、観た人に対し、あたかも額縁の中の絵画をみるような印象を与えることができる。
【００３２】
以上の構成によれば、本発明の光散乱装飾具１は、突出方向である水平方向に突出して設けられた凸部１０ａと、凸部１０ａ又は当該凸部に近接する位置に突出方向と直交する貫通方向に開けられた貫通孔１０ｂとを有し、光を散乱させる複数のクリスタル１０と、複数のクリスタル１０が有する貫通孔１０ｂに対して通された糸１１と、糸１１に対するクリスタル１０の位置を固定する固定具１２とを有する。
【００３３】
これにより、光散乱装飾具１は、貫通孔１０ｂを目立たない位置に設けて美観を保ちつつ、糸１１に対して自由な位置にクリスタル１０を固定することができるため、光散乱装飾具１としての造形を著しく美しくすることができる。
【００３４】
光散乱装飾具１は、糸１１を吊り下げて固定するスタンドとしての枠２を有する。これにより、光散乱装飾具１は、糸１１とクリスタル１０とをスタンドとの組み合わせにより一段と美しく見せることができる。
【００３５】
スタンドは、周囲が囲まれた枠部としての枠２を有しており、枠２の上側から複数の糸が吊り下げられている。これにより、光散乱装飾具１は、額縁の中に糸１１とクリスタル１０とが存在するかのような美しい造形をつくることができる。
【００３６】
スタンドは、周囲が囲まれた枠２を少なくとも２以上有しており、枠２間が蝶番３で接続されている。これにより、光散乱装飾具１は、枠２自体がスタンドとしての役割を果たすことができると共に、枠２の角度を変化させることにより、作り出される光の像を様々に変化させることができる。
【００３７】
スタンドは、２つの上記枠２からなる。これにより、光散乱装飾具１は、安定・美観上、好ましいインテリアを形成することができる。
【００３８】
糸１１は、枠２の下側で固定されている。これにより、光散乱装飾具１は、重心を安定させることができると共に、不意の破損を未然に防止できる。また、再下位置にあるクリスタル１０よりも下に糸１１があるため、糸１１が造形の一部として溶け込み易くなり、美観を一段と向上させることができる。
【００３９】
糸１１は、４〜１０本吊り下げられている。これにより、光散乱装飾具１は、糸１１自体がハープや川の流れを彷彿させ、美観を向上させると共に、クリスタル１０を適度な間隔を開けて数多く配置することができ、光の像の面積を大きく、かつ美しくすることができる。
【００４０】
光散乱装飾具１は、内側が長方形又は正方形でなる枠部としての枠２と、枠２の上側から吊り下げられた糸１１と、固定具１４を用いて糸１１に対して固定され、光を散乱する複数のクリスタル１０とを有している。
【００４１】
これにより、光散乱装飾具１は、枠２を額縁に、糸１１を水の流れに、クリスタル１０を水玉に見立てることができ、まるで絵画のような美しい造形を作り出すことができると共に、面を使って配置されたクリスタル１０からきらびやかな光の像を作り出すことができる。
【００４２】
光散乱装飾具１は、側部である凸部１０ａ又は凸部１０ａ近傍を固定することにより、糸１１に対してクリスタル１０を固定する。これにより、光散乱装飾具１は、クリスタル１０の中心に孔を開ける方法と比較して、クリスタル１０の外観を損ねずに済む。
【００４３】
また、クリスタル１０同士を金具で繋ぐ方法と比較して、クリスタル１０間の間隔を自由に設定することができ、造形及び光の像を自由に設計可能である。
【００４４】
光散乱装飾具１は、枠２を２つ以上有し、枠２間が回転可能に接続されている。これにより、光散乱装飾具１は、クリスタル１０が配置される面積を増大させた大きな光の像を形成すると共に、枠２間の角度を変えて、光の入射方向や光の像が照射される空間などに応じて適切な光の像を作り出すことができる。
【００４５】
糸１１は、４〜１０本吊り下げられている。これにより、光散乱装飾具１は、適切な数のクリスタル１０を適度な間隔で配置することができる。
【００４６】
なお、上述した実施の形態においては、スタンドとしての枠２の上側に糸１１を吊り下げるようにした場合について述べた。本発明はこれに限らず、例えば図４に示すように、スタンド１０２に１本又は複数本の糸１１を吊り下げ、クリスタル１０を配置することもできる。
【００４７】
また、上述した実施の形態においては、枠２内に複数本の糸１１を吊り下げ、クリスタル１０の側部を糸１１に固定するようにした場合について述べた。本発明はこれに限らず、クリスタル１０の中心付近を固定するようにしても良い。この場合であっても、枠２内に複数の糸１１が張られた美しい造形を得ることができる。
【００４８】
また、上述した実施の形態においては、クリスタルとしてのクリスタル１０と、糸としての糸１１と、固定具としての固定具１４とによって光散乱装飾具としての光散乱装飾具１を構成するようにした場合について述べた。本発明はこれに限らず、その他種々の構成によるクリスタル１０と、糸と、固定具とによって本発明の光散乱装飾具を構成することができる。
【産業上の利用可能性】
【００４９】
本考案は、例えば店舗や部屋のインテリアとして利用することができる。
【符号の説明】
【００５０】
１……光散乱装飾具
２、２Ａ、２Ｂ……枠
３……蝶番
１０……クリスタル
１０ａ……凸部
１０ｂ……貫通孔
１１……糸
１２……固定具
１４……固定具
【図１】
0003192027.tif 000003
【図２】
0003192027.tif 000004
【図３】
0003192027.tif 000005
【図４】
0003192027.tif 000006